(57)【要約】  モバイル装置を使用してバーコード情報を通信するためのシステムおよび方法。方法は、モバイル装置の第１のソフトウェアアプリケーションを使用してアプリケーション印刷機能を起動するステップであって、第１のソフトウェアアプリケーションが印刷可能であるステップと、第２のソフトウェアアプリケーションを使用して印刷コンテンツから１つまたは複数のバーコードを抽出するステップと、モバイル装置の発光ハードウェアを用いて、パルス光としてモバイル装置から抽出されたバーコードを送信するステップとを含む。
2019503529.tif 000002
【特許請求の範囲】
【請求項１】
モバイル装置を使用してバーコード情報を通信する方法であって、
第１のソフトウェアアプリケーションが印刷可能である、前記モバイル装置の前記第１のソフトウェアアプリケーションを使用してアプリケーション印刷機能を起動するステップと、
第２のソフトウェアアプリケーションを使用して前記印刷コンテンツから１つまたは複数のバーコードを抽出するステップと、
前記モバイル装置の発光ハードウェアを用いて、パルス光として前記モバイル装置から抽出されたバーコードを送信するステップと
を含む、方法。
【請求項２】
前記送信ステップは、前記抽出ステップにしたがって抽出される際、前記１つまたは複数の抽出されたバーコードの少なくとも第１のバーコードに対して自動的に実行される、請求項１に記載の方法。
【請求項３】
前記送信ステップは、前記１つまたは複数の抽出されたバーコードのユーザの選択時に実行される、請求項１に記載の方法。
【請求項４】
前記抽出ステップは、複数のバーコードを抽出する、請求項３に記載の方法。
【請求項５】
前記１つまたは複数のバーコードが抽出されると、前記ユーザに通知される、請求項３に記載の方法。
【請求項６】
前記ユーザが前記印刷機能の前記起動を実行する、請求項５に記載の方法。
【請求項７】
前記抽出ステップは、前記第１のアプリケーションによって生成された印刷コンテンツを検査することを含む、請求項１に記載の方法。
【請求項８】
前記第１のアプリケーションが、電子メールアプリケーション、ウェブブラウザ、または画像ギャラリーのうちの１つまたは複数を含む、請求項７に記載の方法。
【請求項９】
前記検査の全部または一部が、前記モバイル装置において実行される、請求項７に記載の方法。
【請求項１０】
前記検査の全部または一部が、外部アプリケーションサーバで実行される、請求項７に記載の方法。
【請求項１１】
バーコード情報を通信するためのシステムであって、第１のソフトウェアアプリケーションを有するモバイル装置を含み、前記第１のソフトウェアアプリケーションは印刷可能であり、ここで前記第１のソフトウェアアプリケーションの印刷機能を起動すると、印刷コンテンツが生成され、第２のソフトウェアアプリケーションは前記印刷コンテンツから１つまたは複数のバーコードを抽出するように構成され、前記モバイル装置は、前記モバイル装置の発光ハードウェアを使用して、抽出されたバーコードをパルス光として送信するように構成されている、システム。
【請求項１２】
前記モバイル装置は、前記抽出された１つまたは複数の抽出されたバーコードの少なくとも第１のバーコードを、抽出時に自動的に送信するように構成されている、請求項１１に記載のシステム。
【請求項１３】
前記モバイル装置は、前記１つまたは複数の抽出されたバーコードのうちの１つのバーコードをユーザの選択時に送信するように構成される、請求項１１に記載のシステム。
【請求項１４】
複数のバーコードが抽出される、請求項１３に記載のシステム。
【請求項１５】
前記１つまたは複数のバーコードが抽出されると、前記ユーザに通知される請求項１３に記載のシステム。
【請求項１６】
前記ユーザが前記印刷機能の前記起動を実行する、請求項１５に記載のシステム。
【請求項１７】
前記１つまたは複数のバーコードの抽出は、前記第１のアプリケーションによって生成された印刷コンテンツを検査することを含む、請求項１１に記載のシステム。
【請求項１８】
前記第１のアプリケーションが、電子メールアプリケーション、ウェブブラウザ、または画像ギャラリーのうちの１つまたは複数を含む、請求項１７に記載のシステム。
【請求項１９】
前記検査の全部または一部が、前記モバイル装置において実行される、請求項１７に記載のシステム。
【請求項２０】
前記検査の全部または一部が、外部アプリケーションサーバで実行される、請求項１７に記載のシステム。
【発明の詳細な説明】
【技術分野】
【０００１】
本出願は、２０１５年１０月３０日に出願された米国仮出願第６２／２４８，６３１号の利益を主張するものであり、その全内容は参照により本明細書に組み込まれる。
本発明は、バーコード情報を符号化し通信する分野に関する。
【背景技術】
【０００２】
バーコードは、機械可読データ表現である。バーコードは、通常、紙ラベルまたは商品の包装、製造業者または小売業者のクーポン、あるいは航空会社の搭乗券などのチケットまたはパスなどのアイテムに印刷される。バーコードスキャナ（バーコードリーダとも呼ばれる）は、バーコードから情報を抽出するために使用される。バーコードスキャナは、店舗やスーパーマーケット、空港のセキュリティチェックインや搭乗エリア、スタジアム、図書館、テストセンター、カンファレンスセンターなどの多くの異なる種類の施設にある。バーコードスキャナの使用は、多くの一般的な取引を実行する速度と利便性を劇的に高めた。
【０００３】
典型的には紙または他の物体に印刷されるが、バーコードはバーコードスキャナによって読み取られるようにパーソナル電子装置の電子ディスプレイ上に提示されてもよい。クーポンおよび他の情報をバーコード形式で個人用電子装置の表示画面上に提示することは有用であるが、欠点がある。例えば、ある種のバーコードスキャナは、典型的には液晶ディスプレイ（ＬＣＤ）である表示画面上に示されるバーとスペースとの間のコントラスト比が十分でないため、特定のタイプのディスプレイ上に表示されたバーコードを確実に読み取ることができない。さらに、表示画面の物理的寸法および／または解像度は、一度に表示されるバーコードのサイズを制限する可能性がある。
【０００４】
パルス光を使用してバーコードを模し、それにより静的スクリーン表示バーコードのさまざまな限界を克服する技術は、例えば、Ｃｈａｌｌａらに２００４年２月３日に付与された米国特許第６，６８５，０９３号に開示されている。モバイル装置を使用してバーコード情報を通信するための改良された技術が必要とされている。
【先行技術文献】
【特許文献】
【０００５】
【特許文献１】米国特許第６，６８５，０９３号
【発明の概要】
【発明が解決しようとする課題】
【０００６】
本発明は、モバイル装置を使用してバーコード情報を通信するためのシステムおよび方法を提供する。
【課題を解決するための手段】
【０００７】
一実施形態では、方法は、モバイル装置の第１のソフトウェアアプリケーションを使用してアプリケーション印刷機能を起動するステップであって、第１のソフトウェアアプリケーションが印刷可能であるステップと、第２のソフトウェアアプリケーションを使用して印刷コンテンツから１つまたは複数のバーコードを抽出するステップと、モバイル装置の発光ハードウェアを用いて、パルス光としてモバイル装置から抽出されたバーコードを送信するステップとを含む。
本発明は、その特定の例示的な実施形態に関して記載されており、それに応じて図面を参照する。
【図面の簡単な説明】
【０００８】
【図１】図１は、本発明の一実施形態によるモバイル装置のハードウェア図を示す。
【図２】図２は、本発明の一実施形態によるモバイル装置のハードウェアおよびソフトウェアシステムアーキテクチャを示す。
【図３】図３は、本発明の一実施形態によるバーコード情報を通信する方法のフロー図を示す。
【図４】図４は、本発明の別の実施形態による、バーコード情報を通信する方法のフロー図を示す。
【図５（ａ）】図５（ａ）は、本発明の一実施形態によるユーザインタフェースを示すモバイル装置のスクリーンショットを示す。
【図５（ｂ）】図５（ｂ）は、本発明の一実施形態によるユーザインタフェースを示すモバイル装置のスクリーンショットを示す。
【図５（ｃ）】図５（ｃ）は、本発明の一実施形態によるユーザインタフェースを示すモバイル装置のスクリーンショットを示す。
【図５（ｄ）】図５（ｄ）は、本発明の一実施形態によるユーザインタフェースを示すモバイル装置のスクリーンショットを示す。
【発明を実施するための形態】
【０００９】
パルス光（本明細書では「光模擬バーコード」またはより単純に「ビーミング（Ｂｅａｍｉｎｇ）」とも呼ばれる）を使用してバーコードを模する技術は、例えば、米国特許第６，６８５，０９３号、米国特許第７，０２８，９０６号および米国特許第７，９６７，２１１号に記載されており、これらのすべての内容は参照により本明細書に組み込まれる。この光模擬バーコード技術によれば、バーコードは、レーザーバーコードスキャナによってスキャンされたときに印刷されたバーコードによって引き起こされる反射を模倣する光のパルスを使用して送信される。この技術は、典型的には、モバイル通信装置の１つまたは複数のコンポーネント上のハードウェアとソフトウェアの組み合わせによって実装される。実装を利用するために、第三者アプリケーションであってもよいバーコードを利用するソフトウェアアプリケーションは、一般に、ソフトウェアアプリケーションプログラムインタフェース（ＡＰＩ）を介してビーミング実装と統合されなければならない。しかし、これには第三者のアプリケーションを変更する必要があるため、ビーミング技術の使用は、ビーミング実装と統合されたアプリケーションに限定される。
【００１０】
ソフトウェア開発キット（ＳＤＫ）を使用すると、第三者のアプリケーション開発者がビーミング実装を独自のアプリケーションに統合することができる。しかし、これにはアプリケーション開発者がＳＤＫと統合する必要があり、実装にはある程度の努力が必要である。
【００１１】
本発明の一実施形態によれば、ＳＤＫの必要が排除される。代わりに、アプリケーションが光模擬バーコードビーミングと直接統合されていない場合でも、モバイル装置は光模擬バーコードを生成するために使用することができ、バーコードは任意の装置アプリケーション（例えば、第三者のモバイル装置アプリケーション）によって生成される。
【００１２】
したがって、本発明は、コンテンツを紙に印刷せず、むしろ印刷されるコンテンツを検査し、ユーザが光模擬バーコード技術を使用して選択して発することができるバーコードを抽出する仮想プリンタ（ドライバ）を提供する。
【００１３】
本発明の一実施形態によれば、光模擬バーコードを生成するシステムが提供され、これはオペレーティングシステムにプリンタとして自身を提示し、それにより印刷機能を有する任意の装置アプリケーションがシステムにアクセスすることが可能になる。システムは、印刷するデータとして装置アプリケーションからコンテンツを受け取り、１つまたは複数のバーコードの存在を検出するためにコンテンツを検査する。システムは、好ましくは、コンテンツ内で発見されたすべてのバーコードをユーザに通知し、直ちに発見された任意のバーコードの光模擬バーコードをユーザが選択し直ちに生成するか、後で送信するために保存するためのユーザ用のインタフェースを提供する。光模擬バーコードは、ディスプレイ画面、ディスプレイ画面バックライト、または発光ダイオード（ＬＥＤ）のような、モバイル装置内の、またはモバイル装置に接続された任意の発光ハードウェアからパルス光を放出することによって生成される。
【００１４】
本明細書で説明されるような装置アプリケーションから受け取ったコンテンツの調査は、モバイル装置上で、または外部アプリケーションサーバ上、例えばインターネットクラウド、またはその両方で実行できる。
【００１５】
本発明の一実施形態によれば、ビーミングアプリケーションと一体化するための装置アプリケーションの必要性がなくなる。必要なのは、アプリケーションが、オペレーティングシステムの印刷フレームワークを使用して印刷機能を提供することだけである。電子メールクライアント、ウェブブラウザおよびピクチャギャラリーのようなアプリケーションは、一般的に印刷機能を提供するので、電子メールまたはウェブを介して受信される任意のバーコード化されたコンテンツは、本発明によるビーミングのためにセットアップできる。例としては、クーポン、チケット、ギフトカード、支払いバウチャーなどがあり、ユーザは電子メールまたはウェブリンクを介して受け取る。
【００１６】
図１は、本発明の一実施形態によるモバイル装置のハードウェア図を示す。図１に示すように、モバイル装置は、アプリケーションプロセッサ（１００）、Ｗｉ−Ｆｉトランシーバ（１１０）、ブルートゥーストランシーバ（１２０）、ディスプレイ画面（１３０）、本明細書で説明される光模擬バーコードを放出できる発光ダイオード（ＬＥＤ）１４０、モデム（１５０）およびメモリ／ストレージ（１６０）を含むことができる。本明細書で説明されるソフトウェアアプリケーションは、モバイル装置のメモリ／ストレージに格納され、モバイル装置のアプリケーションプロセッサによって実行することができる。光模擬バーコードは、本明細書で説明するように、モバイル装置のディスプレイ画面またはＬＥＤによって生成できる。図１に示されるモバイル装置は例示であり、異なるモバイル装置構成が本発明と関連して使用され得ることは明らかであろう。
【００１７】
図２は、本発明の一実施形態によるモバイル装置のためのハードウェアおよびソフトウェアシステムアーキテクチャを示す。図２に示すように、システムアーキテクチャは、モバイル装置ハードウェア（２１０）、オペレーティングシステム（２２０）およびアプリケーションプログラム（２３０）を含むことができる。オペレーティングシステム（２２０）は、ハードウェア（２１０）とアプリケーションプログラム（２３０）との間のインタフェースとして機能する。第三者アプリケーションであり得る印刷可能アプリケーション（２３２）は、バーコードを含むコンテンツを生成することができる。印刷可能アプリケーション（２３２）は、例えば、電子メールアプリケーション、ウェブブラウザ、または他のアプリケーションとすることができる。次に、印刷可能アプリケーション（２３２）は、仮想印刷ドライバにアクセスし、次に印刷可能アプリケーション（２３２）の印刷機能を起動することによって、コンテンツをビーミングアプリケーション（２３１）に転送することができる。仮想印刷ドライバは、ビーミングアプリケーションに含めることができる（２３１）。次いで、ビーミングアプリケーション（２３１）は、印刷するコンテンツを検査し、ユーザがビーミングアプリケーション（２３１）を使用して選択できるバーコードを抽出することができる。次いで、ビーミングアプリケーション（２３１）は、パルス光信号を生成するためにモバイル装置ハードウェアを使用して光模擬バーコード技術を使用して、選択されたバーコードを送信することができる。
【００１８】
図３は、本発明の一実施形態による、バーコード情報を通信する方法のフロー図を示す。図３に示すように、第１のステップ（３１０）において、アプリケーション印刷機能が呼び出される。このステップは、ユーザが印刷可能なソフトウェアアプリケーションの印刷機能にアクセスすることによって実行することができる。次に、次のステップ（３２０）で、印刷コンテンツから１つまたは複数のバーコードが抽出される。このステップはビーミングアプリケーションによって実行できる。次に、次のステップ（３３０）で、選択したバーコードをパルス光として送信することができる。このステップは、本明細書で説明するように、モバイル装置のアプリケーションプロセッサおよびディスプレイハードウェアによって実行できる。
【００１９】
印刷機能は、以下のように印刷可能アプリケーションまたは第三者アプリケーションで起動することができる。印刷をサポートするアプリケーションには、通常、印刷を起動するためのメニュー項目が含まれている。メニュー項目は、アプリケーションのメニューツリーの最上位にあるか、またはサブ項目であってもよい。アプリケーションは、メニュー項目として「印刷」という単語を使用したり、下の図に示すような代表的なアイコンを表示したりすることができる。このメニュー項目をクリックすると、通常オペレーティングシステムは印刷ダイアログを表示し、これによりユーザは印刷ページ、印刷枚数、カラーかモノクロ、用紙サイズ、および他の属性を指定することができる。
【００２０】
また、コンテンツ自体に印刷に必要なユーザインタフェースを含めることもできる。たとえば、アプリケーション内のＷｅｂブラウザまたはＨＴＭＬ表示要素にレンダリングされたＨＴＭＬコンテンツは、画像またはテキストハイパーリンクを表示でき、これをクリックすると、よく知られているＪａｖａｓｃｒｉｐｔのｗｉｎｄｏｗ．ｐｒｉｎｔ（）  ＡＰＩが呼び出される。これにより、オペレーティングシステムは標準の印刷ダイアログを表示する。
【００２１】
印刷ダイアログには一般に印刷されたコンテンツのプレビューが含まれているので、ユーザはコンテンツが紙にどのように見えるかを見ることができる。印刷ダイアログはさらに、ユーザが要求を確定して印刷ジョブを発行することを可能にするボタンまたはテキストなどのユーザインタフェース要素も有する。
【００２２】
アプリケーションは、以下のように印刷されたコンテンツを生成することができる。ユーザが、通常は印刷ダイアログから印刷ジョブを発行すると、オペレーティングシステムの印刷フレームワークは、印刷用のコンテンツをレンダリングするようにアプリケーションに要求する。アプリケーションは、ラスタイメージ（またはビットマップ）、ベクターイメージ、またはプラットフォームおよびアプリケーションに依存しないドキュメントフォーマット、たとえばＡｄｏｂｅ（登録商標）ＰｏｓｔＳｃｒｉｐｔまたはＡｄｏｂｅ（登録商標）Ｐｏｒｔａｂｌｅ  Ｄｏｃｕｍｅｎｔ  Ｆｏｒｍａｔ（ＰＤＦ）など、さまざまな方法でコンテンツをレンダリングできる。最新のスマートフォンプラットフォームでは、印刷可能なコンテンツを生成するアプリケーションのフォーマットとしてＡｄｏｂｅ  ＰＤＦを使用できる。したがって、ユーザがモバイルアプリケーション内からコンテンツを印刷すると、Ａｄｏｂｅ  ＰＤＦ形式のドキュメントが生成され、プリンタドライバによって処理されてプリンタに配信される。
【００２３】
バーコードは、印刷されたコンテンツから次のように抽出することができる。第三者アプリケーションによって生成された印刷コンテンツは、ベクトルイメージまたはラスタイメージ、あるいはＰｏｓｔＳｃｒｉｐｔまたはＰＤＦなどのプラットフォームおよびアプリケーション中立の書式のいずれでもよい。印刷されたコンテンツが画像フォーマットである場合、バーコードの存在、およびバーコードを復号するために適用されたアルゴリズムを分析することができる。Ｚｅｂｒａ  Ｃｒｏｓｓｉｎｇ（「ｚｘｉｎｇ」）などのオープンソースソフトウェアの実装を含む、これを実行するためのよく知られた方法がある。使用される技法に応じて、ベクトル画像をラスタ画像に変換する必要があり得る。
【００２４】
印刷されたコンテンツがＰｏｓｔＳｃｒｉｐｔまたはＰＤＦのような文書フォーマットである場合、文書の各ページは先ずラスタ画像に変換され、次いで画像は上述のように復号される。印刷文書を生成するために第三者アプリケーションによって使用される技術に応じて、文書は、文書から抽出することができる元のソースコンテンツからの符号化画像を含むことができる。この場合、ページ全体を画像に変換する代わりに、これらの画像を抽出し、上述の復号アルゴリズムを個々の画像上で実行することが有利である。ＰｏｓｔＳｃｒｉｐｔおよびＰＤＦ文書ページを画像に変換する方法およびそのような文書から埋め込み画像を抽出する方法は周知である。また、使用できるＰＤＦＢｏｘなどのオープンソースソフトウェア実装もある。
【００２５】
図４は、本発明の別の実施形態による、バーコード情報を通信する方法のより詳細なフロー図を示す。第１のステップ（４１０）において、ユーザはアプリケーションを開く。アプリケーションのコンテンツはバーコードを必ずしも含んでいるとは限らないが、バーコードが存在しない状況は本発明とは関係がないことに留意されたい。アプリケーションコンテンツが１つまたは複数のバーコードを含む場合、ユーザは、１つまたは複数のバーコードを直ちにＰＯＳスキャナに送信したり、後で送信するためにそれらを準備したりすることができる。これを達成するために、ユーザは、次のステップ（４１５）に示すように、アプリケーションの印刷機能を起動する。次に、オペレーティングシステムは、一般的にプリンタの利用可能なリストを示す親しみのある印刷機能ダイアログを表示する（４２０）。ダイアログは、ユーザが明示的に選択を行わない場合に自動的に選択されるデフォルトプリンタを示してもよい。次のステップ（４２５）において、すでに既定のプリンタではない場合、ユーザは本発明に対応するプリンタを選択する。このステップでは、ユーザは必要に応じて追加の印刷機能のカスタマイズを実行することもできる。次のステップ（４３０）において、ユーザは、通常、印刷ダイアログ上の確認ボタンをクリックすることにより、印刷ジョブを発行する。次のステップ（４３５）において、システムは、印刷されたコンテンツのバーコードを検索し、前述のようにバーコードを抽出する。このステップは、装置上で完全に実行することも、遠隔サーバベースのコンポーネントと組み合わせて実行することもできる。次のステップ（４４０）において、システムは、１つまたは複数の抽出されたバーコードがビーミングの準備ができていることをユーザに通知する。このシステムは、抽出されたバーコードを将来の使用のため、または装置クラッシュによる損失を防止するために保存する。その後、ユーザは、バーコードを直ちにまたは後でビーミングしたいかどうかを決定する（４５０）。例えば、ユーザがすでに店舗または会場にいて、バーコードがクーポンまたはチケットを表している場合、ユーザはバーコードをすぐにビーミングすることを望むであろう。しかし、ユーザが自宅でアプリケーションをブラウズしている場合、後で使用するために単にバーコードを保存しておきたい可能性がある。ユーザがバーコードを直ちにビーミングすることを選択した場合、ユーザはバーコードを選択し（４５５）、ビーミングを開始する（４６０）。これらのステップは、バーコードを選択することによって、そのバーコードのビーミングを開始することもできるという点で、組み合わせることができる。さらに、１つのバーコードのみが検出された場合、例えばステップ（４３５）において、単なる通知に応答する動作は、ステップ（４５０）において、例えば通知をクリックすることによって、バーコードのビーミングを開始することができる。最後に、バーコードがワンタイム使用アイテムを表す場合、ユーザはバーコードをシステムから取り除くことができる（４６５）。図４はまた、ユーザが以前に保存されたバーコードをビーミングしたい場合のフローを示す。この場合、ユーザはシステムを起動し（４７０）、以前に保存されたすべてのバーコードのリストが提示される。システムを起動することは、オペレーティングシステムのプリンタ管理ユーティリティおよびビーミングプリンタを選択すること、またはビーミングプリンタを直接管理するカスタムアプリケーションを介して行うことができる。
【００２６】
図５（ａ）〜（ｄ）は、本発明の代替実施形態によるユーザインタフェースを示すモバイル装置のスクリーンショットを示す。この実施形態は、図４の実施形態に記載されたフローに概して従うが、ステップ４４０〜４６０を単一のステップに組み合わせて、ステップ４４０の復号が完了するとすぐに、最初に抽出されたバーコードが自動的にビーミングされる。したがって、この実施形態によれば、単一のバーコードのみが抽出された場合、それは、ユーザによるさらなる対話なしで直ちにビーミングすることができる。複数のバーコードが抽出された場合、抽出された少なくとも最初のものは、ユーザによるさらなる対話なしで直ちにビーミングすることができる。抽出されたバーコードは、さらに、ユーザによる選択時にビーミングできるようにすることができる。図５（ａ）は、Ａｎｄｒｏｉｄ上の電子メールアプリケーションのスクリーンショットを示し、バーコードを含む電子メールメッセージを表示している（５１０）。ビーミング印刷機能を起動するために、ユーザは最初にメニューアイコンをタップする（５１２）。この操作により、図５（ｂ）のようにメニューが表示される。次いで、ユーザは「印刷」動作をタップし、図５（ｃ）に示すように印刷機能ダイアログを表示させる（５２０）。この時点で、ユーザは、プリンタ（５３０）としてまだ選択されていない場合、ビーミング印刷プリンタを選択する。次にユーザは、印刷確認ボタンをタップする（５３２）。次に、システムは、図５（ｄ）に示すように、印刷されたコンテンツを復号し、バーコードを抽出し、第１のバーコードをビーミングする（５４２）。バーコードはさらに、画像ベースのスキャナとの互換性のために表示される（５４０）。バーコードディスプレイにはさらに、システムからバーコードを削除するためのボタンや、将来の使用のために保存するボタンも設けられている。
【００２７】
本発明の前述の詳細な説明は、例示のために提供されており、網羅的であること、または本発明を開示された実施形態に限定することを意図したものではない。したがって、本発明の範囲は、添付の特許請求の範囲によって規定される。
【図１】
2019503529.tif 000003
【図２】
2019503529.tif 000004
【図３】
2019503529.tif 000005
【図４】
2019503529.tif 000006
【図５（ａ）】
2019503529.tif 000007
【図５（ｂ）】
2019503529.tif 000008
【図５（ｃ）】
2019503529.tif 000009
【図５（ｄ）】
2019503529.tif 000010
【国際調査報告】
2019503529.tif 000011